(57)【要約】【課題】  片面意匠と両面意匠を選択できるフェンスの提供。【解決手段】  支柱１とパネル体２と上桟３を備え、パネル体２は、支柱１の前後いずれか一方の見付面１ａ又は１ｂに取付ける場合と、前後両方の見付面１ａ，１ｂに取付ける場合とがあり、上桟３は、パネル体２を支柱１の一方の見付面１ａ又は１ｂに取付ける場合と、両方の見付面１ａ，１ｂに取付ける場合とで兼用のものであり、支柱１の上端部に架設され、パネル体２上部に位置している。【選択図】      図１
2015132061.tif 000002
【特許請求の範囲】
【請求項１】
支柱とパネル体と上桟を備え、パネル体は、支柱の前後いずれか一方の見付面に取付ける場合と、前後両方の見付面に取付ける場合とがあり、上桟は、パネル体を支柱の一方の見付面に取付ける場合と、両方の見付面に取付ける場合とで兼用のものであり、支柱の上端部に架設され、パネル体上部に位置していることを特徴とするフェンス。
【請求項２】
支柱とパネル体と押え具を備え、パネル体は、支柱の前後いずれか一方の見付面に取付ける場合と、前後両方の見付面に取付ける場合とがあり、押え具は、パネル体を支柱の一方の見付面に取付ける場合と、両方の見付面に取付ける場合とで兼用のものであり、支柱の上端部に取付けられ、前後両方にパネル体の係止部を有することを特徴とするフェンス。
【請求項３】
支柱とパネル体と上桟と小口材を備え、パネル体は、支柱の少なくとも一方の見付面に取付けてあり、上桟は、パネル体の上部に取付けてあり、小口材は、パネル体の側端部に取付けてあり、上桟と小口材は、支柱を超えて他方側までのびていることを特徴とするフェンス。
【発明の詳細な説明】
【技術分野】
【０００１】
本発明は、支柱にパネル体を取付けたフェンスに関する。
【背景技術】
【０００２】
従来、ブロック塀の上などに施工されるフェンスは、非特許文献１に示すように、支柱の道路側の見付面にだけパネル体を取付けている。そのため、道路側と敷地側とで意匠が異なる、奥行きがなく薄っぺらい意匠になる、上方や側方から見たときに支柱が見えるなどの不都合があった。
【先行技術文献】
【非特許文献】
【０００３】
【非特許文献１】三協立山アルミ株式会社発行のカタログ「ガーデンエクステリア  施工手引書  門まわり３  フェンス関連編」（カタログＮｏ．ＳＴＸ０３５８Ａ  Ｙ．０８．１１−０１５）、２００８年１１月、ｐ．２８７
【発明の概要】
【発明が解決しようとする課題】
【０００４】
本発明は以上に述べた実情に鑑み、片面意匠と両面意匠を選択できるフェンス、片面意匠の場合でも奥行きがあって支柱が見えないフェンスの提供を目的とする。
【課題を解決するための手段】
【０００５】
上記の課題を達成するために請求項１記載の発明によるフェンスは、支柱とパネル体と上桟を備え、パネル体は、支柱の前後いずれか一方の見付面に取付ける場合と、前後両方の見付面に取付ける場合とがあり、上桟は、パネル体を支柱の一方の見付面に取付ける場合と、両方の見付面に取付ける場合とで兼用のものであり、支柱の上端部に架設され、パネル体上部に位置していることを特徴とする。
【０００６】
請求項２記載の発明によるフェンスは、支柱とパネル体と押え具を備え、パネル体は、支柱の前後いずれか一方の見付面に取付ける場合と、前後両方の見付面に取付ける場合とがあり、押え具は、パネル体を支柱の一方の見付面に取付ける場合と、両方の見付面に取付ける場合とで兼用のものであり、支柱の上端部に取付けられ、前後両方にパネル体の係止部を有することを特徴とする。
【０００７】
請求項３記載の発明によるフェンスは、支柱とパネル体と上桟と小口材を備え、パネル体は、支柱の少なくとも一方の見付面に取付けてあり、上桟は、パネル体の上部に取付けてあり、小口材は、パネル体の側端部に取付けてあり、上桟と小口材は、支柱を超えて他方側までのびていることを特徴とする。
【発明の効果】
【０００８】
請求項１記載の発明によるフェンスは、パネル体を支柱の前後いずれか一方の見付面に取付けるか、前後両方の見付面に取付けるかを選択することで、片面意匠と両面意匠のいずれにも対応できる。上桟は、パネル体を支柱の一方の見付面に取付ける場合と、両方の見付面に取付ける場合とで兼用のものであるため、コストを削減できる。また、上桟が支柱の上端部に架設され、パネル体上部に位置していることで、上から見て支柱が見えず、意匠性が向上する。
【０００９】
請求項２記載の発明によるフェンスは、パネル体を支柱の前後いずれか一方の見付面に取付けるか、前後両方の見付面に取付けるかを選択することで、片面意匠と両面意匠のいずれにも対応できる。押え具は、パネル体を支柱の一方の見付面に取付ける場合と、両方の見付面に取付ける場合とで兼用のものであり、前後両方にパネル体の係止部を有するので、コストを削減できると共に、いずれの場合でもパネル体の取付けが容易に行える。
【００１０】
請求項３記載の発明によるフェンスは、パネル体が支柱の少なくとも一方の見付面に取付けてあり、上桟は、パネル体の上部に取付けてあり、小口材は、パネル体の側端部に取付けてあり、上桟と小口材は、支柱を超えて他方側までのびていることで、片面意匠であっても奥行きのある意匠となり、尚且つ上方や側方から見て支柱が見えないので、意匠性が良い。パネル体を支柱の両方の見付面に取付けることで、両面意匠とすることもできる。
【図面の簡単な説明】
【００１１】
【図１】図３のＡ−Ａ断面図である。
【図２】図３のＢ−Ｂ断面図である。
【図３】（ａ）は本発明に係るフェンスの第１実施形態（両面意匠）を示す平面図、（ｂ）は同フェンスの敷地側から見た正面図、（ｃ）は同フェンスの側面図である。
【図４】上桟と小口材とのコーナー部を拡大して示す正面図である。
【図５−１】同フェンスの施工手順を順に示す縦断面図である。
【図５−２】同フェンスの施工手順（図５−１の続き）を順に示す縦断面図である。
【図６】小口材及び小口材カバーの取付け方を示す横断面図である。
【図７】（ａ）は本発明に係るフェンスの第２実施形態（片面意匠）を示す平面図、（ｂ）は同フェンスの敷地側から見た正面図、（ｃ）は同フェンスの側面図である。
【図８】図７のＣ−Ｃ断面図である。
【図９】図７のＤ−Ｄ断面図である。
【図１０−１】同フェンスの施工手順を順に示す縦断面図である。
【図１０−２】同フェンスの施工手順（図１０−１の続き）を順に示す縦断面図である。
【図１１】小口材及び小口材カバーの取付け方を示す横断面図である。
【発明を実施するための形態】
【００１２】
以下、本発明の実施の形態を図面に基づいて説明する。本発明のフェンスは、両面意匠と片面意匠を選択できるものであり、まず両面意匠の場合について説明する。図１〜４は、本発明に係るフェンスの第１実施形態を示している。このフェンスは、道路と住宅の敷地との境界部に設置されるブロック塀７の上に設置したもので、ブロック塀７上に３本の支柱１が間隔をおいて立設され、支柱１の道路側の見付面１ａと敷地側の見付面１ｂの両方にパネル体２が取付けてあり、道路側から見た意匠と敷地側から見た意匠とが同一の、いわゆる両面意匠となっている。支柱１は、設置位置を左右方向に自由に設定できる、いわゆるフリー支柱である。
【００１３】
パネル体２は、図３（ｂ）に示すように、２つの単位パネル体２ａを横に連結したものとなっている。各単位パネル体２ａは、図１，２に示すように、側枠８ａ，８ｂ間に複数の横桟９，１０，１１を間隔をおいて架設し、横桟９，１０，１１の長手方向中間部に中桟１２を架設してある。
図２に示すように、一方の側枠８ａは、手前側に目板挿入部１３が形成され、奥側の端部に係合部１４を有しており、他方の側枠８ｂは、手前側にネジ止め部１５を有し、奥側の端部に係合部１６を有している。単位パネル体２ａ同士の連結部においては、一方の側枠８ａの係合部１４と他方の側枠８ｂの係合部１６を互いに係合すると共に、一方の側枠８ａの目板挿入部１３の後面に他方の側枠８ｂのネジ止め部１５を当接し、手前側からのネジ１７で固定した上で、目板挿入部１３に目板１８を手前側から嵌め込んでいる。これにより単位パネル体２ａ同士の境目が見えず、連続性が高められ、パネル体２として一体感を持たせている。
【００１４】
支柱１下部の道路側及び敷地側の見付面１ａ，１ｂには、図１に示すように、略Ｌ字形の支持金具１９が取付けてあり、パネル体２の一番下の横桟１１を該支持金具１９に支持している。一番下の横桟１１は、下面の奥側の端部に垂下片２０を有しており、垂下片２０を支持金具１９と支柱１との間の隙間に差し込むことで、支持金具１９から外れないようになっている。
一番上の横桟９は、中空部の奥側に上向きに開口した係止溝２１が一体に形成されている。支柱１の上端には、板状の押え具４がネジ２２で取付けてある。押え具４は、道路側及び敷地側の端部に係止部５が下方に突出して形成してあり、係止部５をパネル体２の一番上の横桟９に形成された係止溝２１に係止することで、道路側及び敷地側のパネル体２の上部を支柱１に引き付け且つ浮き上がらないように固定している。
【００１５】
フェンス上部には、図１に示すように、道路側のパネル体２の上部と敷地側のパネル体２の上部とに跨って上桟３が取付けてある。上桟３は、一対の中空部２３と、中空部２３を繋ぐ連結部２４と、道路側の中空部２３の道路側と敷地側の中空部２３の敷地側とに形成されたパネル保持部２５とを有し、パネル保持部２５に道路側及び敷地側のパネル体２の上部（一番上の横桟９）を上方より嵌合し、上方からのネジ２６で固定してある。連結部２４の下方には、裏板保持溝２７が形成されており、第１実施形態（両面意匠）では、その裏板保持溝２７は使用されない。
上桟３には、上桟カバー２８が上方から被せて取付けてある。上桟カバー２８は、上桟３の道路側面と敷地側面と上面を覆っており、上桟３のパネル保持部２５の下縁に係止している。
先に述べたように、パネル体２は２つの単位パネル体２ａ，２ａを横に連結して構成されているが、上桟３及び上桟カバー２８はフェンスの端から端まで連続した通し部材となっており、これによりフェンスの連続性・一体性を高めている。また、上桟３及び上桟カバー２８は、単位パネル体２ａと略同じ長さに切断したものを連結してもよい。
【００１６】
フェンス側部には、図２に示すように、道路側のパネル体２の側枠８ｂと敷地側のパネル体２の側枠８ａとに跨って小口材６が取付けてある。小口材６は、両パネル体２の側枠８ａ，８ｂに当接させて、側方からのネジ２９で固定してある。
小口材６には、小口材カバー３０が側方から被せて取付けてある。小口材カバー３０は、内面側に一対の係止片３１を有し、その係止片３１を小口材６に設けた一対の係止片３２に係止することで取付けてあり、道路側及び敷地側のパネル体２の側枠８ａ，８ｂと小口材６を覆っている。
小口材６は、図４に示すように、上端面を上桟３の下面に突き合わせてあり、小口材カバー３０は、上端部を上桟カバー２８にのみ込ませてある。上桟３の端部には、上桟端部キャップ３３が取付けてあり、上桟端部キャップ３３により上桟３及び上桟カバー２８の小口をカバーしている。小口材６の下端部にも、図１，２に示すように、小口材端部キャップ３４が取付けてあり、小口材端部キャップ３４によりパネル体２の側枠８ａ，８ｂと小口材６と小口材カバー３０の小口をカバーしている。小口材端部キャップ３４は、図２に示すように、小口材６とネジ３９で固定すると共に、一番下の横桟１１の下面にネジ４０で固定してある。
【００１７】
次に、本フェンスの施工手順を説明する。まず、支柱１の下端部をブロック塀７に形成された穴に差し込み、モルタルを流し込んで支柱１をブロック塀７に固定する。次に、支柱１下部の道路側及び敷地側の見付面１ａ，１ｂに支持金具１９を取付ける。次に、図５−１（ａ）に示すように、予め組み立てたパネル体２を、その下部を支持金具１９に引っ掛けるようにして支柱１の道路側及び敷地側の見付面１ａ，１ｂに配置する。次に、図５−１（ｂ）に示すように、支柱１上端に押え具４を取付け、押え具４の係止部５を両パネル体２上部の係止溝２１に係止して、パネル体２を固定する。次に、図５−２（ｃ）に示すように、両パネル体２上に上桟３を取付ける。次に、図６（ａ）に示すように、両パネル体２の側部に小口材６を取付ける。次に、小口材６の下端部に小口材端部キャップ３４を取付けた後、図６（ｂ）に示すように、小口材６に小口材カバー３０を側方より嵌合取付けする。次に、図５−２（ｄ）に示すように、上桟３に上桟カバー２８を上方より嵌合取付けする。最後に、上桟３の両端部に上桟端部キャップ３３を取付ける。
【００１８】
図７〜９は、本発明のフェンスの第２実施形態であって、支柱１の道路側の見付面１ａにだけパネル体２を取付けた片面意匠の場合を示している。
図８に示すように、支柱１の上端部には第１実施形態と同一の押え具４が取付けてあり、押え具４の係止部５をパネル体２上部の係止溝２１に係止して、パネル体２を固定している。パネル体２が取付けられない支柱１上端部敷地側には、上桟補助材３５を取付けている。上桟補助材３５は、パネル体２の一番上の横桟９と断面形状が同一のものであり、支柱１側に係止溝２１を有しており、係止溝２１に押え具４の係止部５を係止している。
パネル体２上部と上桟補助材３５の上部には、第１実施形態と同一の上桟３が取付けてあり、上桟３は、道路側から支柱１を超えて敷地側までのびている。上桟３は、連結部２４の下方に設けた裏板保持溝２７に裏板３６を保持させ、支柱１の側方で押え具４に挿通したネジ３７を裏板３６に螺入することで、支柱１に固定している。これにより、敷地側にパネル体２が取付けられないことで上桟３が傾くのを防いでいる。また上桟３には、第１実施形態と同一の上桟カバー２８を取付けている。
パネル体２の側部には、図９に示すように、第１実施形態と同一の小口材６を取付けてあり、小口材６は支柱１を超えて敷地側までのびている。パネル体２が取付けられない小口材６の敷地側の内周側には、小口材補助材３８が取付けてある。小口材６には、第１実施形態と同一の小口材カバー３０が取付けてある。
本実施形態のフェンスは、道路側、上方及び側方から見た意匠は第１実施形態と同一であり、敷地側から見た意匠のみが第１実施形態と異なる。
【００１９】
本フェンスの施工手順を説明すると、支柱１を第１実施形態の場合と同様にブロック塀７に立設し、支柱１下部の道路側の見付面１ａに支持金具１９を取付ける。次に、図１０−１（ａ）に示すように、予め組み立てたパネル体２を、その下部を支持金具１９に引っ掛けるようにして支柱１の道路側の見付面１ａに配置する。次に、図１０−１（ｂ）に示すように、支柱１上端に押え具４を取付け、押え具４の係止部５をパネル体２上部の係止溝２１に係止して、パネル体２を固定する。次に、図１０−２（ｃ）に示すように、パネル体２上に上桟３をネジ２６で取付け、且つ上桟３の下面に保持した裏板３６にネジ３７を下方より螺入して上桟３を支柱１に固定する。次に、図１０−２（ｄ）に示すように、上桟３の敷地側の下面に上桟補助材３５を押え具４の係止部５に係止させて配置し、上方からネジ２６を打ち込んで固定する。次に、図１１（ａ）に示すように、パネル体２の側枠８ｂに沿わせて小口材補助材３８を配置した上で、パネル体２及び小口材補助材３８の側部に小口材６をネジ２９で取付ける。次に、小口材６の下端部に小口材端部キャップ３４を取付けた後、図１１（ｂ）に示すように、小口材６に小口材カバー３０を側方より嵌合取付けする。次に、図１０−２（ｅ）に示すように、上桟３に上桟カバー２８を上方より嵌合取付けする。最後に、上桟３の両端部に上桟端部キャップ３３を取付ける。
【００２０】
以上に述べたように本フェンスは、パネル体２を支柱１の道路側と敷地側のいずれか一方の見付面１ａ又は１ｂに取付けるか、両方の見付面１ａ，１ｂに取付けるかを選択することで、片面意匠と両面意匠のいずれにも対応できる。上桟３と小口材６は、パネル体２を支柱１の一方の見付面１ａに取付ける場合と、両方の見付面１ａ，１ｂに取付ける場合とで兼用のものであるため、コストを削減できる。また、上桟３が支柱１の上端部に架設され、パネル体２上部に位置していることで、上から見て支柱１が見えず、意匠性が向上する。
支柱１上端部に押え具４を取付け、押え具４は道路側と敷地側の両方に係止部５を有しており、その係止部５をパネル体２上部の係止溝２１に係止することで両方のパネル体２を同時に固定できるため、パネル体２を支柱１の両方の見付面１ａ，１ｂに取付ける際の施工性が良い。また押え具４は、パネル体２を支柱１の一方の見付面１ａに取付ける場合と、両方の見付面１ａ，１ｂに取付ける場合とで兼用のものであるため、コストを削減できる。
パネル体２の上部に上桟３を取付け、パネル体２の側端部に小口材６を取付けてあり、上桟３と小口材６は、支柱１を超えて他方側（敷地側）までのびていることで、片面意匠であっても奥行きのある意匠となり、尚且つ上方や側方から見て支柱１が見えないので、意匠性が良い。
片面意匠の場合に、上桟３の敷地側の下面に上桟補助材３５を取付け、小口材６の敷地側の内周側面に小口材補助材３８を取付けることで、上桟３の下面側と小口材６の内周側に隙間ができず、意匠性をより向上できる。さらに、上桟３に上桟カバー２８を取付け、小口材６に小口材カバー３０を取付けることで、取付ネジ２６，２９等が外部に露出せず、意匠性をさらに向上できる。
【００２１】
本発明は以上に述べた実施形態に限定されない。パネル体２の構造は任意であり、枠に樹脂パネル等を嵌め込んだり金網等を取付けたもの等であってもよい。支柱１は、地面から立設することもできる。上桟３と小口材６とは、外観上連続的に設けてあればよく、図４に示すような形態に限らず、例えば小口材６をパネル体２より上まで突出させ、小口材６に上桟３の小口を突き当てる形態であってもよい。上桟３は、パネル体２上に位置していればよく、必ずしも支柱１と固定してある必要はない。また上桟３（上桟カバー２８を含む）は、フェンスの側方に隣接してスクリーンを設置した場合に、フェンスのパネル体２の上部とスクリーンの上部に渡って通しで取付けることができ、これによりフェンスとスクリーンとを一体的で連続した意匠とすることができる。請求項１の発明に係るフェンスにおいては、小口材６は必須の構成ではなく、省略することもできる。請求項２の発明に係るフェンスにおいては、上桟３及び小口材６は必須の構成ではなく、省略することもできる。
【符号の説明】
【００２２】
１  支柱
２  パネル体
３  上桟
４  押え具
５  係止部
６  小口材
【図１】
2015132061.tif 000003
【図２】
2015132061.tif 000004
【図３】
2015132061.tif 000005
【図４】
2015132061.tif 000006
【図５−１】
2015132061.tif 000007
【図５−２】
2015132061.tif 000008
【図６】
2015132061.tif 000009
【図７】
2015132061.tif 000010
【図８】
2015132061.tif 000011
【図９】
2015132061.tif 000012
【図１０−１】
2015132061.tif 000013
【図１０−２】
2015132061.tif 000014
【図１１】
2015132061.tif 000015